(57)【要約】切断間違いを防ぐと同時に快適な利便性を与えるよう、毛髪切断システム（１）に対するコーム装置（３）が提案される。コーム装置（３）は、歯（７１）を有するコームユニット（４）、及び、コーム装置（３）を毛髪切断器具（２）に対して接続させる接続手段（８）を有する。コームユニット（４）は、第１の部分（５）及び第２の部分（６）を有する。第１の部分（５）は、接続手段（８）に対して固定位置にあり、歯（７１）を有する。第２の部分（６）は、接続手段（８）に対して可動である。また、毛髪切断システムは、毛髪切断器具、及びコーム装置（３）を有し、互いから独立して動くよう配置される２つ又はそれより多くの可動サブパーツに分割される。
2009536544.tif 000002
【特許請求の範囲】
【請求項１】
毛髪切断システムに対するコーム装置であって、
歯を有するコームユニットと、
当該コーム装置を毛髪切断器具に対して接続する接続手段と、
を有し、
前記コームユニットは、第１の部分と第２の部分とを有し、該第１の部分は、前記接続手段に対して固定位置にあり、且つ歯を有し、前記第２の部分は、前記接続手段に対して可動であり、且つ、互いから独立して動くよう配置される２つ又はそれより多くの可動サブパーツに分割される、
ことを特徴とするコーム装置。
【請求項２】
前記可動の第２の部分を前記接続手段に接続する、ピボット手段を有する、
ことを特徴とする請求項１記載のコーム装置。
【請求項３】
前記可動の第２の部分は、コーム歯を有する、
ことを特徴とする請求項１又は２記載のコーム装置。
【請求項４】
前記ピボット手段は、弾性要素を有する、
ことを特徴とする請求項２又は３記載のコーム装置。
【請求項５】
前記ピボット手段は、１つより多くの方向において動き得るよう設計される、
ことを特徴とする請求項２乃至４のうちいずれか一項記載のコーム装置。
【請求項６】
毛髪切断システムであって、
少なくとも１つの刃を有する切断装置を有する毛髪切断器具と、
切断装置の範囲において該毛髪切断器具上に取り付けられる請求項１乃至５記載のコーム装置と、
を有する毛髪切断システム。
【請求項７】
前記コーム装置の可動の第２の部分は、前記切断装置の前記刃に対して基本的に平行である軸の周囲にピボットする、
ことを特徴とする請求項６記載の毛髪切断システム。
【請求項８】
前記コーム装置の前記可動の第２の部分は、前記切断装置の前記刃に対して基本的に垂直である軸の周囲にピボットする、
ことを特徴とする請求項７記載の毛髪切断システム。
【請求項９】
切断方向において、コームユニットの歯を有する固定された第１の部分は、前記コームユニットの前記可動の第２の部分の前方に配置される、
ことを特徴とする請求項６乃至８のうちいずれか一項記載の毛髪切断システム。
【発明の詳細な説明】
【技術分野】
【０００１】
本発明は、毛髪切断システムに対するコーム（櫛）装置に係る。
【０００２】
本発明は更に、本発明に従ったコーム装置を有する毛髪切断システムに係る。
【背景技術】
【０００３】
通常の毛髪切断システムは、毛髪切断器具及びコーム装置を有する。毛髪切断器具は通常、モータを使用して互いに対して相対的に動かされる２つの刃等を有する切断ユニット有する。切断装置は通常、毛髪切断装置に対する電源としてのモータ又はバッテリを収容するケーシング上に取り付けられ、ケーシングはまた、手持ち式の毛髪切断システムに対するハンドルとしての役割を有する。
【０００４】
一定の切断長さを決定するよう、コーム歯を有するコーム装置は、ケーシング上に取り付けられ、切断ユニットをカバーする。実際の毛髪切断長さは、コーム歯の長さによって決められる。毛髪長さは、皮膚までの刃の距離に相当し、毛髪切断器具上に取り付けられたコーム装置は、毛髪を切断するよう適用される。毛髪切断システムの利便性の範囲を拡大するよう、多種の長さを有するフィンを有する異なるコームユニット及び／又は切断ユニットに対して調整可能であるコームユニットのいずれかが、異なる長さの毛髪切断を可能とするよう与えられる。
【０００５】
適切な毛髪切断工程を保証するよう、コーム装置を有する毛髪切断器具は常に、切断されるべき毛髪を有する皮膚領域に対して相対位置に保持されるべきであり、コーム装置のコーム歯が皮膚領域にわたって動かされるため、コーム歯に対して皮膚領域との最適な接触が達成される。このことは、特に経験及び器用さに欠ける非専門家のユーザにとって、特に手をのばしづらい領域における自分の毛髪を切断する場合に、大変困難であり得る。
【０００６】
ＥＰ１０４７５３１Ｂ１（特許文献１）は、毛髪を切断する毛髪切断器具を有する毛髪切断システムを与えることによって、この問題に取り組んだ。該器具は、作動中は手に持たれ、歯状の切断装置を有し、また、歯状の切断装置の範囲における毛髪切断器具上に取り付けられ且つ並列にされたコーム歯を有するコーム装置を有する。コーム歯は、遠位歯端部及び近位歯端部、並びに該２つの歯端部の間に延在する接触域を有する。少なくとも歯端部は、接続手段を用いて毛髪切断器具の保持手段に対して接続される。接続手段は、毛髪切断器具に対するコーム装置の少なくともコーム歯の角度位置が作動中連続的に変更され得るよう、構成される。接続手段は更に、毛髪切断システムの作動中にコーム歯のうち少なくとも数本が皮膚領域にわたって動かされ、且つ該皮膚領域に対する毛髪切断システムの相対位置が変更される際に、該皮膚領域との継続的接触がコーム歯の角度位置の継続的変更によって遠位歯端部に隣接するコーム歯の接触域の少なくともそれらの部分に対して自動的に保証されるよう、構成及び配置される。このことは主に、接続手段においてピボット手段を有することによって達成される。ピボット手段を用いて、コーム装置のコーム歯は、毛髪切断器具に対してチルトされ得る。
【０００７】
少なくとも遠位端部の範囲において、コーム歯は常に、皮膚領域に対する位置を占有する。このことは毛髪の適切な起毛に対して有利であり、適切な切断行為が常に達成される。
【特許文献１】ＥＰ１０４７５３１Ｂ１
【発明の開示】
【発明が解決しようとする課題】
【０００８】
本発明は、先行技術によるコーム装置及び毛髪切断システムを更に発展させる、ことを目的とする。
【課題を解決するための手段】
【０００９】
本発明の第１の態様において、上述の目的は、毛髪切断システムに対するコーム装置によって達成される。該コーム装置は、歯を有するコームユニット、及びコーム装置を毛髪切断器具に対して接続させる接続手段を有する。コームユニットは、第１の部分及び第２の部分を有する。該第１の部分は、接続手段に対して固定位置にあり、歯を有する。第２の部分は、接続手段に対して可動であり、互いから独立して動くよう配置される２つ又はそれより多くの可動サブパーツに分割される。
【００１０】
固定された歯状部分及び可動部分を有するコームユニットを備えられたコーム装置は、不慣れなユーザにとっても快適な利便性を可能にする、ことが判明している。歯状部分は、毛髪を梳かして起毛させ、また切断長さを決める、という機能を有し、また、接続手段及び毛髪切断器具のなんらかの切断装置に対して固定位置にあることによって、切断間違いを効果的に防ぐと同時に、可動部分は、作動中に皮膚領域の輪郭に適合する傾向があり、ユーザが自分の頭部又は身体の毛髪を切断する場合でも、毛髪切断システムを操作するユーザの動きをより潤滑にする。
【００１１】
各可動サブパーツは、他の可動サブパーツから独立して動くため、特には、作動中の皮膚の輪郭に対するコーム装置のコームユニットの適合、及び動きの潤滑性を高める。可動サブパーツは、コームユニットの皮膚との不変且つ密接な接触を確実なものとする一方、固定された歯状部分は、適正な毛髪切断長さを確実なものとする。特には、毛髪を短く切りすぎてしまうことは避けられる。これによって、専門家及び非専門家のユーザに対する本発明に従ったコーム装置を有する毛髪切断システムの使用の快適性は、高められる。特に小型のコーム装置に対して、可動の第２の部分は、例えば小数の追加的なコーム歯、即ち固定された第１の部分におけるより少ない数の追加的なコーム歯、又は大きすぎない可動サブパーツを与えることによって、切断工程において優れた視野が可能となるよう設計され得る。
【００１２】
故に、本発明に従ったコーム装置は、コーム装置を使用する毛髪切断システムの利便性を高める。コーム装置の接続手段が従来のコーム装置に対するものと同一であるため、コーム装置は、コーム装置を収容するよう構成される毛髪切断器具に対して取り付けられ得る。本発明に従ったコーム装置は、異なる歯の長さを有して設計され得るか、あるいは切断装置と皮膚に接触する歯の端部との間における異なる長さに対して適合される機能性を有し得、コーム装置を有する異なる切断長さを可能とする。
【００１３】
コームユニット全体が可動であるわけではないため、コームユニットの構造は、より少ない空間を必要とするよう、また、旅行用等であるより小型のコーム装置及びより小型の毛髪切断システムを可能とするよう、設計され得る。
【００１４】
有利には、コーム装置は、可動の第２の部分を接続手段に接続させるピボット手段を有する。望ましい動きは、可動の第２の部分のピボット運動であり、毛髪が切断されるべき皮膚の輪郭に対して特に潤滑に適合するようにされる。
【００１５】
可動の第２の部分は、可動のサブパーツに分割されるか否かに関わらず、ガイド機能を実行するよう、毛髪切断器具に対して取り付けられるコーム装置が適用される皮膚領域との少なくとも１つの接触点を有するべきである。望ましくは、１つ又はそれより多くの接触域があり、該接触域は、コームユニットの第２の部分の可動性により、作動中に皮膚の表面輪郭を追う。複数の望ましい実施例において、接触域は、コーム歯として設計される。有利には、かかる可動の第２の部分のコーム歯は、コームユニットの固定された第１の部分のコーム歯にほぼ連続するよう配置され、コーム機能を支持する。
【００１６】
有利には、ピボット手段は、弾性要素を有し、可動の第２の部分が表面輪郭の変化に迅速に反応すると同時にそのガイド機能を効率的に実行する、ことを確実なものとする。
【００１７】
本発明の望ましい実施例において、大半の場合において、毛髪は一方向に僅かに湾曲されるのみである大きな領域上で切断されるばかりではなく、顎等である一方向より多い方向において強い湾曲を有する領域上においても切断される、ということを考慮して、ピボット手段は、一方向より多い方向における動きが可能であるよう設計される。
【００１８】
本発明の更なる態様において、上述された目的は、少なくとも１つの刃を有する切断装置を有する毛髪切断器具と、切断装置の範囲において該毛髪切断器具状に取り付けられる本発明に従ったコーム装置とを有する毛髪切断システムによって達成される。
【００１９】
かかる毛髪切断システムによって、不慣れなユーザに対しても快適な利便性が可能となる。コーム装置のコームユニットの歯を有する固定された第１の部分は、毛髪を梳かして起毛させ、また切断長さを決める、という機能を有し、また、毛髪切断器具の切断装置に対して固定位置にあることによって、切断間違いを効果的に防ぐ。同時に、可動部分は、作動中に皮膚領域の輪郭に適合する傾向があり、ユーザが自分の頭部又は身体の毛髪を切断する場合でも、毛髪切断システムを操作するユーザの動きをより潤滑にする。コームユニットの構造は、より少ない空間を必要とするよう、また、より小型のコーム装置を可能とするよう、設計され得る。また、毛髪切断器具を小型化することによって、旅行用等であるより小型の毛髪切断システムが与えられ得る。
【００２０】
コーム装置の可動の第２の部分は、特には毛髪切断器具の移動方向において皮膚領域の輪郭に従うよう、切断装置の刃に対して基本的には平行である軸の周囲にピボットする。有利には、コーム装置の可動の第２の部分は更に、毛髪切断器具の移動方向に対して垂直である結果的な高さ変動に対して調節するよう、切断装置の刃に対して基本的には垂直である軸の周囲にピボットする。
【００２１】
切断方向において、コームユニットの歯を有する固定された第１の部分は、コームユニットの可動の第２の部分の前方に配置され、コームユニットの固定された第１の部分の最も効果的な髪梳き及び起毛を確実なものとし、最小限の偏差を有する所望される毛髪切断長さを与える。
【発明を実施するための最良の形態】
【００２２】
本発明の詳細な説明は、以下に与えられる。以下の説明は、添付の図面を参照して読まれるべき非制限的な例として与えられる。
【００２３】
図１は、毛髪切断器具２及びコーム装置３を有する本発明に従った毛髪切断システム１を示す。毛髪切断器具２は、ケーシング２２を有する。該ケーシングは、ハンドルとしての機能を有し、先行技術において既知である往復動刃を有する切断ユニットを駆動するモータに動力を与えるバッテリを収容する。モータに動力を与える他の手段は、例えば外部電源又は充電式バッテリを使用することで可能である、ことが留意される。毛髪切断器具は、ケーシング２２上のスイッチ２３によってスイッチのオン及びオフを切り替えられ得る。
【００２４】
モータは、切断ユニットの往復動刃を駆動し、他の刃は固定である。いずれの刃も細長く、平行に配置される。刃は、往復動作中に間に挟まった毛髪を実際に切断する小さな歯を有する。図１において、切断ユニットは、コーム装置３によって隠されている。図１中ほぼピボット軸Ａのレベルにおける切断長さ、即ち切断刃とコーム装置歯７の遠位端部との間の距離は、調整リング２４を用いて機械的に調整される。調整リング２４を回転させることによって、コーム装置３は、毛髪切断器具２の長手方向軸に沿って動かされる。
【００２５】
コーム装置は、コームユニット４、及びコームユニット４を毛髪切断器具２に対して接続させる接続手段８を有する。本例において、接続手段８は、基本的に円筒形であり、毛髪切断器具２の切断ユニットの上方に置かれる。当業者に既知である他の種類の接続手段も利用される、ことは留意される。
【００２６】
コーム装置３のコームユニット４は、接続手段８に対して固定位置にあるコーム歯７１を有する第１の部分５，及び、ピボット軸Ａの周囲におけるピボット運動を用いて接続手段８に対してその位置を変え得る第２の部分６を有する。このピボット運動を達成するよう、コームユニット４の可動の第２の部分６は、ピボットスピンドル９１を介して接続手段８に対して接続される。コームユニット４の可動の第２の部分６は、２つの可動サブパーツ６１，６２に分割される。各可動サブパーツ６１，６２は、他方の可動サブパーツ６２，６１とは無関係に動くため、作動中の皮膚の輪郭に対するコーム装置のコームユニットの適合、及び動きの潤滑性を更に高める。
【００２７】
固定された歯状部分５と、２つ又はそれより多い可動サブパーツ６１，６２を有する可動部分６とを有するコームユニット４を備えるコーム装置３は、不慣れなユーザにとっても快適な利便性を与える、ことが判明している。固定された第１の部分５の歯７１は、毛髪を梳かして起毛させ、また切断刃に対する切断長さを決める。故に、切断間違いは効率的に防がれると同時に、可動の第２の部分６は、作動中に皮膚領域の輪郭に適合する傾向があり、例えばユーザが自分で顎髭又は口髭をトリムしたり、脇又は恥部のシェービングをしたり、単純に頭部の毛髪を切断したりする際に、毛髪切断システムを操作するユーザの動きをより潤滑にする。本発明に従った毛髪切断システム１はまた、動物をトリムしたり、外科手術の準備において患者の毛髪を剃ったりするよう使用され得るか、あるいは、専門の美容師及び理容師によって使用され得る。
【００２８】
歯７１を有する固定された第１の部分５が可動の第２の部分６の前方において切断方向ＣＤにおいて配置されるため、起毛機能は、毛髪を梳かす機能としても最適化される。図１中に示されるコームユニット４の可動の第２の部分６は、コームユニット４の固定された第１の部分５の歯７１と連続的に配置される歯７２を有し、歯７１の毛髪を梳かす機能を支援する。
【００２９】
図２ａ，ｂは、図１中に示される毛髪切断システム１のコーム装置３をより詳細に示す。図２ａにおいて、可動サブパーツ６１の大きさは、４つの歯７２と同等であり、可動サブパーツ６２の大きさは、３つの歯７１と同等であり、図２ｂにおいてはその逆である。各可動サブパーツ６１，６２は、接続手段８に対して接続する夫々の取付け脚部９２（可動部分６１に対するもののみ図示）に対して夫々のピボットスピンドル９１を介して取り付けられる。図２ａにおいて、可動サブパーツ６１，６２はいずれも、接続手段８に対して同一の位置にある。図２ｂにおいて、可動サブパーツ６１は、可動サブパーツ６２よりも接続手段８に対して近い。これは、例えば、可動サブパーツ６２の側部上の範囲より高い可動サブパーツ６１の側部上の隆起を有して切断されるべき毛髪を有する身体の一部に相当する。
【００３０】
図３ａ，ｂは、コーム装置３の更なる実施例を示す。前述された実施例とは異なり、コームユニット４の可動の第２の部分６の可動サブパーツ６１，６２は、固定された第１の部分５より少ない歯７２を有する。歯７２の主な機能は、コームユニット４の可動の第２の部分６が作動中の身体の表面と接触する、接触点又は接触域６１１，６１２，６２１，６２２を定義付けること、である。この表面の輪郭に依存して、各可動サブパーツ６１，６２は、独立してピボットする。図３ａにおいて可動サブパーツ６１，６２はいずれも、接続手段８に対して同一の位置にあり、図３ｂにおいて可動サブパーツ６１は、可動サブパーツ６２よりも接続手段に対して近い。
【００３１】
図４ａ，ｂは、コーム装置３の更なる実施例を概略的に示す。かかる例において、可動の第２の部分６は、全く歯を有さず、３つ（図４ａ中）又は４つ（図４ｂ中）の可動サブパーツ６１，６２，６３，６４を有するのみであり、該可動サブパーツは各々、接触点又は接触域６１１，６２１，６３１，６４１を定義する。１つのみ又は２つ又は５つ又はそれより多くの可動サブパーツが与えられ得る、ことは留意される。同様にして、図１乃至３に示される通り、コームユニットの可動の第２の部分が歯を有する実施例において、１つ又は２つより多くの可動サブパーツが与えられ得る。更に図４ａ，ｂは、コーム装置が毛髪切断器具の切断ユニットの刃２１の上方に置かれてそれをカバーすることを概略的に示す、ことが留意される。
【００３２】
図５ａ−ｆは、ピボット手段９の更なる実施例を概略的に示す。図５ａにおいて、弾性要素９３は、可動の第２の部分６を接続手段８に対して取り付けるよう選択されており、可動の第２の部分６の位置を皮膚表面の輪郭に対して最適に適合させるよう、ピボット運動の三自由度、即ち全三方向ｘ，ｙ，ｚにおける運動を可能にする。
【００３３】
図５ｂにおいて、金属のリーフスプリング９４は、図５ａ中のピボット手段９の弾性要素９３と入れ替えられ、ｚ方向及び（ｚ方向より小さい（ｂｕｔ  ｌｅｓｓ  ｔｈａｎ  ｉｎ  ｄｉｒｅｃｔｉｏｎ  ｚ））ｙ方向における二自由度を可能にする。ｚ方向は、本発明の目的に対して最も重要な方向である。
【００３４】
ｚ方向における動きはまた、図５ｃ及びｅの実施例において可能にされる。ピボットスピンドル９１は、図５ｃにおいてスパイラルスプリング９５と、図５ｅにおいてリーフスプリング９７と組合わされる。スプリング９５，９７はいずれも、可動の第２の部分６が表面輪郭の変化に迅速に反応することを確実なものとすると同時に、夫々の皮膚領域と継続的に接触し続けることによってそのガイド機能を効率的に実行する。
【００３５】
図５ａの実施例と同様に、図５ｄの実施例は、各可動のサブパーツ６１，６２に対する可動の第２の部分６の三自由度、即ち軸Ａ，Ｂ，Ｃの周囲における自由度を可能にする。弾性要素を使用する代わりに、トーションバースプリング９６が使用される。
【００３６】
図５ｆ中に示されるピボット手段９は、接続部分９９を弾性的に堅くする（ｒｅｓｉｌｉｅｎｔｌｙ  ｓｔｉｆｆｅｎ）よう弾性要素９８を有する湾曲された接続部分９９を有する。この種類のピボット手段は、基本的にｚ方向及びｘ方向における二自由度を可能にする。
【００３７】
弾力性及び／又は弾性構成要素を有する全てのピボット手段９の可能な範囲の運動は、夫々の構成要素の特定の特徴に依存する、ことが留意される。
【００３８】
本発明の複数の望ましい実施例が記載されてきたが、当業者は、多種の変更、代替、及び置換が本発明の趣旨及び概念を逸脱しない限りなされ得る、ことを認識する。したがって本発明は、添付の請求項の適切な範囲を有してその形状及び修正を記載される。例えば、従属請求項の特徴の多種の組合せは、本発明の範囲から逸脱することなく独立請求項の特徴を有してなされ得る。更に、請求項中の参照符号は、範囲を制限するものとして解釈されるべきではない。
【００３９】
参照符号のリスト：  
１  毛髪切断システム
２  毛髪切断器具
２１  切断刃
２２  ケーシング
２３  スイッチ
２４  調整リング
３  コーム装置
４  コームユニット
５  固定された第１の部分
６  可動の第２の部分
６１  第１の可動サブパーツ
６２  第２の可動サブパーツ
６３  第３の可動サブパーツ
６４  第４の可動サブパーツ
６１１  第１の可動サブパーツの第１の接触域
６１２  第１の可動サブパーツの第２の接触域
６２１  第２の可動サブパーツの第１の接触域
６２２  第２の可動サブパーツの第２の接触域
６３１  第３の可動サブパーツの接触域
６４１  第４の可動サブパーツの接触域
７  コーム歯
７１  固定された第１の部分のコーム歯
７２  可動の第２の部分のコーム歯
８  接続手段
９  ピボット手段
９１  ピボットスピンドル
９２  取付け脚部
９３  弾性要素
９４  リーフスプリング
９５  スパイラルスプリング
９６  トーションバースプリング
９７  リーフスプリング
９８  弾性要素
９９  湾曲接続部
ｘ，ｙ，ｚ  可動の第２の部分の運動の軸
Ａ，Ｂ，Ｃ  ピボット軸
ＣＤ  切断方向
【図面の簡単な説明】
【００４０】
【図１】本発明に従った毛髪切断システムの望ましい一実施例を図示する。
【図２】図２ａ，ｂは、本発明に従ったコーム装置の実施例の第１の群を可動である第２の部分の異なる位置において示す。
【図３】図３ａ，ｂは、本発明に従ったコーム装置の実施例の第２の群を可動である第２の部分の異なる位置において示す。
【図４】図４ａ，ｂは、本発明に従ったコーム装置の実施例の第３の群を示す。
【図５】図５ａ−ｆは、ピボット手段の多種の実施例を示す。
【図１】
2009536544.tif 000003
【図２ａ】
2009536544.tif 000004
【図２ｂ】
2009536544.tif 000005
【図３ａ】
2009536544.tif 000006
【図３ｂ】
2009536544.tif 000007
【図４ａ】
2009536544.tif 000008
【図４ｂ】
2009536544.tif 000009
【図５ａ】
2009536544.tif 000010
【図５ｂ】
2009536544.tif 000011
【図５ｃ】
2009536544.tif 000012
【図５ｄ】
2009536544.tif 000013
【図５ｅ】
2009536544.tif 000014
【図５ｆ】
2009536544.tif 000015
【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
毛髪切断システムに対するコーム装置であって、
歯を有するコームユニットと、
当該コーム装置を毛髪切断器具に対して接続する接続手段と、
を有し、
前記コームユニットは、第１の部分と、該第１の部分とは分離された第２の部分とを有し、該第１の部分は、前記接続手段に対して固定して取り付けられ、且つ歯を有し、前記第２の部分は、前記接続手段に対して可動に取り付けられ、且つ、ピボット軸の周囲において互いから独立して動くよう配置される２つ又はそれより多くの可動サブパーツに分割され、
該２つ又はそれより多くの可動サブパーツは、前記ピボット軸に沿って当該コーム装置の全幅にわたって延在する、
ことを特徴とするコーム装置。
【請求項２】
前記可動の第２の部分を前記接続手段に接続する、ピボット手段を有する、
ことを特徴とする請求項１記載のコーム装置。
【請求項３】
前記可動の第２の部分は、コーム歯を有する、
ことを特徴とする請求項１又は２記載のコーム装置。
【請求項４】
前記ピボット手段は、弾性要素を有する、
ことを特徴とする請求項２又は３記載のコーム装置。
【請求項５】
前記ピボット手段は、１つより多くの方向において動き得るよう設計される、
ことを特徴とする請求項２乃至４のうちいずれか一項記載のコーム装置。
【請求項６】
毛髪切断システムであって、
少なくとも１つの刃を有する切断装置を有する毛髪切断器具と、
切断装置の範囲において該毛髪切断器具上に取り付けられる請求項１乃至５記載のコーム装置と、
を有する毛髪切断システム。
【請求項７】
前記コーム装置の可動の第２の部分は、前記切断装置の前記刃に対して基本的に平行である軸の周囲にピボットする、
ことを特徴とする請求項６記載の毛髪切断システム。
【請求項８】
前記コーム装置の前記可動の第２の部分は、前記切断装置の前記刃に対して基本的に垂直である軸の周囲にピボットする、
ことを特徴とする請求項７記載の毛髪切断システム。
【請求項９】
切断方向において、コームユニットの歯を有する固定された第１の部分は、前記コームユニットの前記可動の第２の部分の前方に配置される、
ことを特徴とする請求項６乃至８のうちいずれか一項記載の毛髪切断システム。
【手続補正２】
【補正対象書類名】明細書
【補正対象項目名】全文
【補正方法】変更
【補正の内容】
【発明の詳細な説明】
【技術分野】
【０００１】
本発明は、毛髪切断システムに対するコーム（櫛）装置に係る。
【０００２】
本発明は更に、本発明に従ったコーム装置を有する毛髪切断システムに係る。
【背景技術】
【０００３】
通常の毛髪切断システムは、毛髪切断器具及びコーム装置を有する。毛髪切断器具は通常、モータを使用して互いに対して相対的に動かされる２つの刃等を有する切断ユニット有する。切断装置は通常、毛髪切断装置に対する電源としてのモータ又はバッテリを収容するケーシング上に取り付けられ、ケーシングはまた、手持ち式の毛髪切断システムに対するハンドルとしての役割を有する。
【０００４】
一定の切断長さを決定するよう、コーム歯を有するコーム装置は、ケーシング上に取り付けられ、切断ユニットをカバーする。実際の毛髪切断長さは、コーム歯の長さによって決められる。毛髪長さは、皮膚までの刃の距離に相当し、毛髪切断器具上に取り付けられたコーム装置は、毛髪を切断するよう適用される。毛髪切断システムの利便性の範囲を拡大するよう、多種の長さを有するフィンを有する異なるコームユニット及び／又は切断ユニットに対して調整可能であるコームユニットのいずれかが、異なる長さの毛髪切断を可能とするよう与えられる。
【０００５】
適切な毛髪切断工程を保証するよう、コーム装置を有する毛髪切断器具は常に、切断されるべき毛髪を有する皮膚領域に対して相対位置に保持されるべきであり、コーム装置のコーム歯が皮膚領域にわたって動かされるため、コーム歯に対して皮膚領域との最適な接触が達成される。このことは、特に経験及び器用さに欠ける非専門家のユーザにとって、特に手をのばしづらい領域における自分の毛髪を切断する場合に、大変困難であり得る。
【０００６】
ＥＰ−Ａ１０４７５３１（特許文献１）は、毛髪を切断する毛髪切断器具を有する毛髪切断システムを与えることによって、この問題に取り組んだ。該器具は、作動中は手に持たれ、歯状の切断装置を有し、また、歯状の切断装置の範囲における毛髪切断器具上に取り付けられ且つ並列にされたコーム歯を有するコーム装置を有する。コーム歯は、遠位歯端部及び近位歯端部、並びに該２つの歯端部の間に延在する接触域を有する。少なくとも歯端部は、接続手段を用いて毛髪切断器具の保持手段に対して接続される。接続手段は、毛髪切断器具に対するコーム装置の少なくともコーム歯の角度位置が作動中連続的に変更され得るよう、構成される。接続手段は更に、毛髪切断システムの作動中にコーム歯のうち少なくとも数本が皮膚領域にわたって動かされ、且つ該皮膚領域に対する毛髪切断システムの相対位置が変更される際に、該皮膚領域との継続的接触がコーム歯の角度位置の継続的変更によって遠位歯端部に隣接するコーム歯の接触域の少なくともそれらの部分に対して自動的に保証されるよう、構成及び配置される。このことは主に、接続手段においてピボット手段を有することによって達成される。ピボット手段を用いて、コーム装置のコーム歯は、毛髪切断器具に対してチルトされ得る。
【０００７】
少なくとも遠位端部の範囲において、コーム歯は常に、皮膚領域に対する位置を占有する。このことは毛髪の適切な起毛に対して有利であり、適切な切断行為が常に達成される。
【特許文献１】ＥＰ−Ａ１０４７５３１
【特許文献２】ＵＳ２００１／０００４８９６Ａ１
【特許文献３】ＵＳ−Ａ４，５５７，０５０
【発明の開示】
【発明が解決しようとする課題】
【０００８】
本発明は、先行技術によるコーム装置及び毛髪切断システムを更に発展させる、ことを目的とする。
【課題を解決するための手段】
【０００９】
本発明の第１の態様において、上述の目的は、毛髪切断システムに対するコーム装置によって達成される。該コーム装置は、歯を有するコームユニット、及びコーム装置を毛髪切断器具に対して接続させる接続手段を有する。コームユニットは、第１の部分、及び該第１の部分とは分離された第２の部分を有する。該第１の部分は、接続手段に対して固定して取り付けられ、歯を有する。第２の部分は、接続手段に対して可動に取り付けられ、ピボット軸の周囲において互いから独立して動くよう配置される２つ又はそれより多くの可動サブパーツに分割される。該２つ又はそれより多くの可動サブパーツは、ピボット軸に沿ってコーム装置の全幅にわたって延在する。
【００１０】
固定された歯状部分及び可動部分を有するコームユニットを備えられたコーム装置は、不慣れなユーザにとっても快適な利便性を可能にする、ことが判明している。歯状部分は、毛髪を梳かして起毛させ、また切断長さを決める、という機能を有し、また、接続手段及び毛髪切断器具のなんらかの切断装置に対して固定位置にあることによって、切断間違いを効果的に防ぐと同時に、可動部分は、作動中に皮膚領域の輪郭に適合する傾向があり、ユーザが自分の頭部又は身体の毛髪を切断する場合でも、毛髪切断システムを操作するユーザの動きをより潤滑にする。
【００１１】
各可動サブパーツは、他の可動サブパーツから独立して動くため、特には、作動中の皮膚の輪郭に対するコーム装置のコームユニットの適合、及び動きの潤滑性を高める。可動サブパーツは、コームユニットの皮膚との不変且つ密接な接触を確実なものとする一方、固定された歯状部分は、適正な毛髪切断長さを確実なものとする。特には、毛髪を短く切りすぎてしまうことは避けられる。これによって、専門家及び非専門家のユーザに対して、本発明に従ったコーム装置を有する毛髪切断システムの使用の快適性は高められる。特に小型のコーム装置に対して、可動の第２の部分は、例えば小数の追加的なコーム歯、即ち固定された第１の部分におけるより少ない数の追加的なコーム歯、又は大きすぎない可動サブパーツを与えることによって、切断工程において優れた視野が可能となるよう設計され得る。
【００１２】
故に、本発明に従ったコーム装置は、コーム装置を使用する毛髪切断システムの利便性を高める。コーム装置の接続手段が従来のコーム装置に対するものと同一であるため、コーム装置は、コーム装置を収容するよう構成される毛髪切断器具に対して取り付けられ得る。本発明に従ったコーム装置は、異なる歯の長さを有して設計され得るか、あるいは切断装置と皮膚に接触する歯の端部との間における異なる長さに対して適合される機能性を有し得、コーム装置を有する異なる切断長さを可能とする。
【００１３】
コームユニット全体が可動であるわけではないため、コームユニットの構造は、より少ない空間を必要とするよう、また、旅行用等であるより小型のコーム装置及びより小型の毛髪切断システムを可能とするよう、設計され得る。
【００１４】
有利には、コーム装置は、可動の第２の部分を接続手段に接続させるピボット手段を有する。望ましい動きは、可動の第２の部分のピボット運動であり、毛髪が切断されるべき皮膚の輪郭に対して特に潤滑に適合するようにされる。
【００１５】
可動の第２の部分は、可動のサブパーツに分割されるか否かに関わらず、ガイド機能を実行するよう、毛髪切断器具に対して取り付けられるコーム装置が適用される皮膚領域との少なくとも１つの接触点を有するべきである。望ましくは、１つ又はそれより多くの接触域があり、該接触域は、コームユニットの第２の部分の可動性により、作動中に皮膚の表面輪郭を追う。複数の望ましい実施例において、接触域は、コーム歯として設計される。有利には、かかる可動の第２の部分のコーム歯は、コームユニットの固定された第１の部分のコーム歯にほぼ連続するよう配置され、コーム機能を支持する。
【００１６】
有利には、ピボット手段は、弾性要素を有し、可動の第２の部分が表面輪郭の変化に迅速に反応すると同時にそのガイド機能を効率的に実行する、ことを確実なものとする。
【００１７】
本発明の望ましい実施例において、大半の場合において、毛髪は一方向に僅かに湾曲されるのみである大きな領域上で切断されるばかりではなく、顎等である一方向より多い方向において強い湾曲を有する領域上においても切断される、ということを考慮して、ピボット手段は、一方向より多い方向における動きが可能であるよう設計される。
【００１８】
本発明の更なる態様において、上述された目的は、少なくとも１つの刃を有する切断装置を有する毛髪切断器具と、切断装置の範囲において該毛髪切断器具状に取り付けられる本発明に従ったコーム装置とを有する毛髪切断システムによって達成される。
【００１９】
かかる毛髪切断システムによって、不慣れなユーザに対しても快適な利便性が可能となる。コーム装置のコームユニットの歯を有する固定された第１の部分は、毛髪を梳かして起毛させ、また切断長さを決める、という機能を有し、また、毛髪切断器具の切断装置に対して固定位置にあることによって、切断間違いを効果的に防ぐ。同時に、可動部分は、作動中に皮膚領域の輪郭に適合する傾向があり、ユーザが自分の頭部又は身体の毛髪を切断する場合でも、毛髪切断システムを操作するユーザの動きをより潤滑にする。コームユニットの構造は、より少ない空間を必要とするよう、また、より小型のコーム装置を可能とするよう、設計され得る。また、毛髪切断器具を小型化することによって、旅行用等であるより小型の毛髪切断システムが与えられ得る。
【００２０】
コーム装置の可動の第２の部分は、特には毛髪切断器具の移動方向において皮膚領域の輪郭に従うよう、切断装置の刃に対して基本的には平行である軸の周囲にピボットする。有利には、コーム装置の可動の第２の部分は更に、毛髪切断器具の移動方向に対して垂直である結果的な高さ変動に対して調節するよう、切断装置の刃に対して基本的には垂直である軸の周囲にピボットする。
【００２１】
切断方向において、コームユニットの歯を有する固定された第１の部分は、コームユニットの可動の第２の部分の前方に配置され、コームユニットの固定された第１の部分の最も効果的な髪梳き及び起毛を確実なものとし、最小限の偏差を有する所望される毛髪切断長さを与える。
【００２２】
ＵＳ２００１／０００４８９６Ａ１（特許文献２）は、毛髪を切断する毛髪切断器具を開示する、ことが留意される。該毛髪切断器具は、切断装置の範囲において該器具上にコーム装置を取り付けられる。提示されるコーム装置は、並列にされたコーム要素を有し、該要素のうち複数は、作動中に皮膚に対して適用される。かかるコーム要素のうち少なくとも１つは、互いに対して取り付けられる剛性及び可撓性の部分を有し、使用中に皮膚領域の輪郭に対して適合する。コーム装置の最も外側のコーム要素は、可撓性の接続手段を有さず、全体的に剛性である。
【００２３】
更には、ＵＳ−Ａ４，５５７，０５０（特許文献３）は、可動に取り付けられるコーム部材及び毛髪プレス部材を有する毛髪をすく毛髪カッターを開示する、ことが留意される。コーム部材は、一個構成であり、コーム部材ホルダーの向きによって定義付けられる面において可動である。
【発明を実施するための最良の形態】
【００２４】
本発明の詳細な説明は、以下に与えられる。以下の説明は、添付の図面を参照して読まれるべき非制限的な例として与えられる。
【００２５】
図１は、毛髪切断器具２及びコーム装置３を有する本発明に従った毛髪切断システム１を示す。毛髪切断器具２は、ケーシング２２を有する。該ケーシングは、ハンドルとしての機能を有し、先行技術において既知である往復動刃を有する切断ユニットを駆動するモータに動力を与えるバッテリを収容する。モータに動力を与える他の手段は、例えば外部電源又は充電式バッテリを使用することで可能である、ことが留意される。毛髪切断器具は、ケーシング２２上のスイッチ２３によってスイッチのオン及びオフを切り替えられ得る。
【００２６】
モータは、切断ユニットの往復動刃を駆動し、他の刃は固定である。いずれの刃も細長く、平行に配置される。刃は、往復動作中に間に挟まった毛髪を実際に切断する小さな歯を有する。図１において、切断ユニットは、コーム装置３によって隠されている。図１中ほぼピボット軸Ａのレベルにおける切断長さ、即ち切断刃とコーム装置歯７の遠位端部との間の距離は、調整リング２４を用いて機械的に調整される。調整リング２４を回転させることによって、コーム装置３は、毛髪切断器具２の長手方向軸に沿って動かされる。
【００２７】
コーム装置は、コームユニット４、及びコームユニット４を毛髪切断器具２に対して接続させる接続手段８を有する。本例において、接続手段８は、基本的に円筒形であり、毛髪切断器具２の切断ユニットの上方に置かれる。当業者に既知である他の種類の接続手段も利用される、ことは留意される。
【００２８】
コーム装置３のコームユニット４は、接続手段８に対して固定位置にあるコーム歯７１を有する第１の部分５，及び、ピボット軸Ａの周囲におけるピボット運動を用いて接続手段８に対してその位置を変え得る第２の部分６を有する。このピボット運動を達成するよう、コームユニット４の可動の第２の部分６は、ピボットスピンドル９１を介して接続手段８に対して接続される。コームユニット４の可動の第２の部分６は、２つの可動サブパーツ６１，６２に分割される。各可動サブパーツ６１，６２は、他方の可動サブパーツ６２，６１とは無関係に動くため、作動中の皮膚の輪郭に対するコーム装置のコームユニットの適合、及び動きの潤滑性を更に高める。
【００２９】
固定された歯状部分５と、２つ又はそれより多い可動サブパーツ６１，６２を有する可動部分６とを有するコームユニット４を備えるコーム装置３は、不慣れなユーザにとっても快適な利便性を与える、ことが判明している。固定された第１の部分５の歯７１は、毛髪を梳かして起毛させ、また切断刃に対する切断長さを決める。故に、切断間違いは効率的に防がれると同時に、可動の第２の部分６は、作動中に皮膚領域の輪郭に適合する傾向があり、例えばユーザが自分で顎髭又は口髭をトリムしたり、脇又は恥部のシェービングをしたり、単純に頭部の毛髪を切断したりする際に、毛髪切断システムを操作するユーザの動きをより潤滑にする。本発明に従った毛髪切断システム１はまた、動物をトリムしたり、外科手術の準備において患者の毛髪を剃ったりするよう使用され得るか、あるいは、専門の美容師及び理容師によって使用され得る。
【００３０】
歯７１を有する固定された第１の部分５が可動の第２の部分６の前方において切断方向ＣＤにおいて配置されるため、起毛機能は、毛髪を梳かす機能としても最適化される。図１中に示されるコームユニット４の可動の第２の部分６は、コームユニット４の固定された第１の部分５の歯７１と連続的に配置される歯７２を有し、歯７１の毛髪を梳かす機能を支援する。
【００３１】
図２ａ，ｂは、図１中に示される毛髪切断システム１のコーム装置３をより詳細に示す。図２ａにおいて、可動サブパーツ６１の大きさは、４つの歯７２と同等であり、可動サブパーツ６２の大きさは、３つの歯７１と同等であり、図２ｂにおいてはその逆である。各可動サブパーツ６１，６２は、接続手段８に対して接続する夫々の取付け脚部９２（可動部分６１に対するもののみ図示）に対して夫々のピボットスピンドル９１を介して取り付けられる。図２ａにおいて、可動サブパーツ６１，６２はいずれも、接続手段８に対して同一の位置にある。図２ｂにおいて、可動サブパーツ６１は、可動サブパーツ６２よりも接続手段８に対して近い。これは、例えば、可動サブパーツ６２の側部上の範囲より高い可動サブパーツ６１の側部上の隆起を有して切断されるべき毛髪を有する身体の一部に相当する。
【００３２】
図３ａ，ｂは、コーム装置３の更なる実施例を示す。前述された実施例とは異なり、コームユニット４の可動の第２の部分６の可動サブパーツ６１，６２は、固定された第１の部分５より少ない歯７２を有する。歯７２の主な機能は、コームユニット４の可動の第２の部分６が作動中の身体の表面と接触する、接触点又は接触域６１１，６１２，６２１，６２２を定義付けること、である。この表面の輪郭に依存して、各可動サブパーツ６１，６２は、独立してピボットする。図３ａにおいて可動サブパーツ６１，６２はいずれも、接続手段８に対して同一の位置にあり、図３ｂにおいて可動サブパーツ６１は、可動サブパーツ６２よりも接続手段に対して近い。
【００３３】
図４ａ，ｂは、コーム装置３の更なる実施例を概略的に示す。かかる例において、可動の第２の部分６は、全く歯を有さず、３つ（図４ａ中）又は４つ（図４ｂ中）の可動サブパーツ６１，６２，６３，６４を有するのみであり、該可動サブパーツは各々、接触点又は接触域６１１，６２１，６３１，６４１を定義する。１つのみ又は２つ又は５つ又はそれより多くの可動サブパーツが与えられ得る、ことは留意される。同様にして、図１乃至３に示される通り、コームユニットの可動の第２の部分が歯を有する実施例において、１つ又は２つより多くの可動サブパーツが与えられ得る。更に図４ａ，ｂは、コーム装置が毛髪切断器具の切断ユニットの刃２１の上方に置かれてそれをカバーすることを概略的に示す、ことが留意される。
【００３４】
図５ａ−ｆは、ピボット手段９の更なる実施例を概略的に示す。図５ａにおいて、弾性要素９３は、可動の第２の部分６を接続手段８に対して取り付けるよう選択されており、可動の第２の部分６の位置を皮膚表面の輪郭に対して最適に適合させるよう、ピボット運動の三自由度、即ち全三方向ｘ，ｙ，ｚにおける運動を可能にする。
【００３５】
図５ｂにおいて、金属のリーフスプリング９４は、図５ａ中のピボット手段９の弾性要素９３と入れ替えられ、ｚ方向及び（ｚ方向より小さい（ｂｕｔ  ｌｅｓｓ  ｔｈａｎ  ｉｎ  ｄｉｒｅｃｔｉｏｎ  ｚ））ｙ方向における二自由度を可能にする。ｚ方向は、本発明の目的に対して最も重要な方向である。
【００３６】
ｚ方向における動きはまた、図５ｃ及びｅの実施例において可能にされる。ピボットスピンドル９１は、図５ｃにおいてスパイラルスプリング９５と、図５ｅにおいてリーフスプリング９７と組合わされる。スプリング９５，９７はいずれも、可動の第２の部分６が表面輪郭の変化に迅速に反応することを確実なものとすると同時に、夫々の皮膚領域と継続的に接触し続けることによってそのガイド機能を効率的に実行する。
【００３７】
図５ａの実施例と同様に、図５ｄの実施例は、各可動のサブパーツ６１，６２に対する可動の第２の部分６の三自由度、即ち軸Ａ，Ｂ，Ｃの周囲における自由度を可能にする。弾性要素を使用する代わりに、トーションバースプリング９６が使用される。
【００３８】
図５ｆ中に示されるピボット手段９は、接続部分９９を弾性的に堅くする（ｒｅｓｉｌｉｅｎｔｌｙ  ｓｔｉｆｆｅｎ）よう弾性要素９８を有する湾曲された接続部分９９を有する。この種類のピボット手段は、基本的にｚ方向及びｘ方向における二自由度を可能にする。
【００３９】
弾力性及び／又は弾性構成要素を有する全てのピボット手段９の可能な範囲の運動は、夫々の構成要素の特定の特徴に依存する、ことが留意される。
【００４０】
本発明の複数の望ましい実施例が記載されてきたが、当業者は、多種の変更、代替、及び置換が本発明の趣旨及び概念を逸脱しない限りなされ得る、ことを認識する。したがって本発明は、添付の請求項の適切な範囲を有してその形状及び修正を記載される。例えば、従属請求項の特徴の多種の組合せは、本発明の範囲から逸脱することなく独立請求項の特徴を有してなされ得る。更に、請求項中の参照符号は、範囲を制限するものとして解釈されるべきではない。
【００４１】
参照符号のリスト：  
１  毛髪切断システム
２  毛髪切断器具
２１  切断刃
２２  ケーシング
２３  スイッチ
２４  調整リング
３  コーム装置
４  コームユニット
５  固定された第１の部分
６  可動の第２の部分
６１  第１の可動サブパーツ
６２  第２の可動サブパーツ
６３  第３の可動サブパーツ
６４  第４の可動サブパーツ
６１１  第１の可動サブパーツの第１の接触域
６１２  第１の可動サブパーツの第２の接触域
６２１  第２の可動サブパーツの第１の接触域
６２２  第２の可動サブパーツの第２の接触域
６３１  第３の可動サブパーツの接触域
６４１  第４の可動サブパーツの接触域
７  コーム歯
７１  固定された第１の部分のコーム歯
７２  可動の第２の部分のコーム歯
８  接続手段
９  ピボット手段
９１  ピボットスピンドル
９２  取付け脚部
９３  弾性要素
９４  リーフスプリング
９５  スパイラルスプリング
９６  トーションバースプリング
９７  リーフスプリング
９８  弾性要素
９９  湾曲接続部
ｘ，ｙ，ｚ  可動の第２の部分の運動の軸
Ａ，Ｂ，Ｃ  ピボット軸
ＣＤ  切断方向
【図面の簡単な説明】
【００４２】
【図１】本発明に従った毛髪切断システムの望ましい一実施例を図示する。
【図２】図２ａ，ｂは、本発明に従ったコーム装置の実施例の第１の群を可動である第２の部分の異なる位置において示す。
【図３】図３ａ，ｂは、本発明に従ったコーム装置の実施例の第２の群を可動である第２の部分の異なる位置において示す。
【図４】図４ａ，ｂは、本発明に従ったコーム装置の実施例の第３の群を示す。
【図５】図５ａ−ｆは、ピボット手段の多種の実施例を示す。
【国際調査報告】
2009536544.tif 000016
2009536544.tif 000017
2009536544.tif 000018